(57)【要約】【課題】機器側の構成に応じた適切な制御とユーザの操作性とを両立することのできる電子機器の機能制御方法、電子機器、およびプログラムを提供する。【解決手段】電子機器１に搭載されているチューナを検出し、検出されたチューナに対応した機能について電子番組管理アプリケーション１５０の表示画面に表示させるようにしたので、ＴＶ機能についてチューナの搭載状況によらずに共通の電子番組管理アプリケーション１５０を用いることができる。このため、メーカー側ではチューナの種類に依存しないひとつの電子番組管理アプリケーション１５０をユーザに提供することで、コストダウンと保守、更新等の管理を合理化することができる。また、ユーザには電子機器１で実行可能な機能について画面表示がなされる。【選択図】図１
2007166523.tif 000002
【特許請求の範囲】
【請求項１】
コンピュータに搭載されたハードウエアを検出する第１のステップと、
検出された前記ハードウエアを駆動するドライバを検索し、前記ドライバに基づいて前記ハードウエアが動作可能であるかを検出する第２のステップと、
動作可能な前記ハードウエアを含む画像を表示画面に表示して対象となるハードウエアに対する操作を一元的に行わせる第３のステップとを含むことを特徴とする電子機器の機能制御方法。
【請求項２】
コンピュータに搭載されたＴＶチューナを検出する第１のステップと、
検出された前記ＴＶチューナを駆動するドライバを検索し、前記ドライバに基づいて前記ＴＶチューナが動作可能であるかを検出する第２のステップと、
動作可能な前記ＴＶチューナの機能に応じた画像を表示画面に表示して対象となるＴＶチューナに対する操作を一元的に行わせる第３のステップとを含むことを特徴とする電子機器の機能制御方法。
【請求項３】
コンピュータに搭載されたＴＶチューナを検出する第１のステップと、
検出された前記ＴＶチューナを駆動するドライバを検索し、前記ドライバに基づいて前記ＴＶチューナが動作可能であるかを検出する第２のステップと、
動作可能な前記ＴＶチューナの機能に応じた画像を表示画面に表示して対象となるＴＶチューナに対する操作を同一のアプリケーションにおいて一元的に行わせる第３のステップとを含むことを特徴とする電子機器の機能制御方法。
【請求項４】
コンピュータに搭載されているハードウエアを検出するハードウエア検出部と、
前記ハードウエアを動作させるためのドライバを検出し、前記ドライバに基づいて前記ハードウエアが動作可能かを検出する動作検出部と、
前記コンピュータで動作可能な前記ハードウエアの機能についての表示画像を表示画面に一元的に表示させる表示制御部とを有することを特徴とする電子機器。
【請求項５】
コンピュータに搭載されているＴＶチューナを検出するハードウエア検出部と、
前記ＴＶチューナを動作させるためのドライバを検出し、前記ドライバに基づいて前記ＴＶチューナが動作可能かを検出する動作検出部と、
前記コンピュータで動作可能な前記ＴＶチューナの機能についての表示画像を表示画面に一元的に表示させる表示制御部とを有することを特徴とする電子機器。
【請求項６】
コンピュータに搭載されているＴＶチューナを検出するハードウエア検出部と、
前記ＴＶチューナを動作させるためのドライバを検出し、前記ドライバに基づいて前記ＴＶチューナが動作可能かを検出する動作検出部と、
前記コンピュータで動作可能な前記ＴＶチューナの機能を同一アプリケーションにおいて一元的に表示させる表示制御部とを有することを特徴とする電子機器。
【請求項７】
コンピュータに搭載されたＴＶチューナを検出する第１のステップと、
検出された前記ＴＶチューナを駆動するドライバを検索し、前記ドライバに基づいて前記ＴＶチューナが動作可能であるかを検出する第２のステップと、
動作可能な前記ＴＶチューナの機能に応じた画像を表示画面に表示して対象となるＴＶチューナに対する操作を同一のアプリケーションにおいて一元的に行わせる第３のステップとをコンピュータを用いて実行するためのプログラム。
【発明の詳細な説明】
【技術分野】
【０００１】
本発明は、パーソナル・コンピュータ（ＰＣ）等の電子機器の機能制御方法、電子機器、およびプログラムに関し、特に、機器側の構成に応じた適切な制御とユーザの操作性とを両立することのできる電子機器の機能制御方法、電子機器、およびプログラムに関する。
【背景技術】
【０００２】
ＰＣに代表される電子機器の高性能化、多機能化に伴い、テレビ放送や音楽、映像配信をＰＣで受信して観賞することのできるものが普及しつつある。特に、テレビ放送は今後アナログ方式からデジタル方式への移行が進むことから、方式の異なるテレビ放送をユーザに煩雑な操作を強いることなく容易に楽しめるようにすることが求められる。
【０００３】
ＰＣでテレビ放送を観賞する、あるいは内蔵されたハードディスク・ドライブ（ＨＤＤ）等に放送を録画するには番組視聴、録画再生、および予約を行うためのＴＶアプリケーションに基づいて行うが、異なる方式の放送波に対応するためにはＰＣに所望の放送波を受信しうる受信機構成およびアプリケーションを搭載することが必要となり、受信機構成毎に適切なアプリケーションを設けることはメーカー側に負担を強いることになる。
【０００４】
使用環境に対し装置側の対応性を高めるものとして、放送されているチャネル局番に対応してチューナを制御することにより、使用する国に応じてチューナ制御用アプリケーションの再インストールを不要にできるチューナ受信用の制御ユニットが提案されている（例えば、特許文献１参照。）。
【特許文献１】特開２００１−３０９２６１号公報
【発明の開示】
【発明が解決しようとする課題】
【０００５】
しかし、特許文献１に記載されるように、使用環境に応じてアプリケーションのインストールを不要にできるとしても主として機器側での調整の便宜を図るものであるため、ユーザの操作性を配慮したものではない。例えば、ＰＣではバックグラウンドでの並列処理等によって実装されていながらも一時的に機能を使用できない場合もある。このような場合であってもユーザに対し明確で、誤操作を招かない操作環境を提供することが必要である。
【０００６】
従って、本発明の目的は、機器側の構成に応じた適切な制御とユーザの操作性とを両立することのできる電子機器の機能制御方法、電子機器、およびプログラムを提供することにある。
【課題を解決するための手段】
【０００７】
本発明は、上記の目的を達成するため、コンピュータに搭載されたハードウエアを検出する第１のステップと、検出された前記ハードウエアを駆動するドライバを検索し、前記ドライバに基づいて前記ハードウエアが動作可能であるかを検出する第２のステップと、動作可能な前記ハードウエアを含む画像を表示画面に表示して対象となるハードウエアに対する操作を一元的に行わせる第３のステップとを含む電子機器の機能制御方法を提供する。
【０００８】
また、本発明は、上記の目的を達成するため、コンピュータに搭載されたＴＶチューナを検出する第１のステップと、検出された前記ＴＶチューナを駆動するドライバを検索し、前記ドライバに基づいて前記ＴＶチューナが動作可能であるかを検出する第２のステップと、動作可能な前記ＴＶチューナの機能に応じた画像を表示画面に表示して対象となるＴＶチューナに対する操作を一元的に行わせる第３のステップとを含む電子機器の機能制御方法を提供する。
【０００９】
また、本発明は、上記の目的を達成するため、コンピュータに搭載されたＴＶチューナを検出する第１のステップと、検出された前記ＴＶチューナを駆動するドライバを検索し、前記ドライバに基づいて前記ＴＶチューナが動作可能であるかを検出する第２のステップと、動作可能な前記ＴＶチューナの機能に応じた画像を表示画面に表示して対象となるＴＶチューナに対する操作を同一のアプリケーションにおいて一元的に行わせる第３のステップとを含む電子機器の機能制御方法を提供する。
【００１０】
また、本発明は、上記の目的を達成するため、コンピュータに搭載されているハードウエアを検出するハードウエア検出部と、前記ハードウエアを動作させるためのドライバを検出し、前記ドライバに基づいて前記ハードウエアが動作可能かを検出する動作検出部と、前記コンピュータで動作可能な前記ハードウエアの機能についての表示画像を表示画面に一元的に表示させる表示制御部とを有する電子機器を提供する。
【００１１】
また、本発明は、上記の目的を達成するため、コンピュータに搭載されているＴＶチューナを検出するハードウエア検出部と、前記ＴＶチューナを動作させるためのドライバを検出し、前記ドライバに基づいて前記ＴＶチューナが動作可能かを検出する動作検出部と、前記コンピュータで動作可能な前記ＴＶチューナの機能についての表示画像を表示画面に一元的に表示させる表示制御部とを有する電子機器を提供する。
【００１２】
また、本発明は、上記の目的を達成するため、コンピュータに搭載されているＴＶチューナを検出するハードウエア検出部と、前記ＴＶチューナを動作させるためのドライバを検出し、前記ドライバに基づいて前記ＴＶチューナが動作可能かを検出する動作検出部と、前記コンピュータで動作可能な前記ＴＶチューナの機能を同一アプリケーションにおいて一元的に表示させる表示制御部とを有する電子機器を提供する。
【００１３】
また、本発明は、上記の目的を達成するため、コンピュータに搭載されたＴＶチューナを検出する第１のステップと、検出された前記ＴＶチューナを駆動するドライバを検索し、前記ドライバに基づいて前記ＴＶチューナが動作可能であるかを検出する第２のステップと、動作可能な前記ＴＶチューナの機能に応じた画像を表示画面に表示して対象となるＴＶチューナに対する操作を同一のアプリケーションにおいて一元的に行わせる第３のステップとをコンピュータを用いて実行するためのプログラムを提供する。
【発明の効果】
【００１４】
本発明によれば、機器側の構成に応じた適切な制御とユーザの操作性とを両立することができる。
【発明を実施するための最良の形態】
【００１５】
（第１の実施の形態）
図１は、本発明の実施の形態に係る電子機器の主要部を示すブロック図である。
【００１６】
（電子機器１の構成）
この電子機器１は、地上アナログ放送および地上デジタル放送とを受信可能なテレビ放送受信機能を有するノート型ＰＣであり、地上波アナログ放送を受信する地上アナログチューナ１０と、地上波デジタル放送を受信する地上デジタルチューナ１１と、液晶ディスプレイからなる表示部１２と、表示部１２を駆動する表示制御部１３と、ＬＡＮ（Local Area Network）等の通信網と接続するためのＩ／Ｆ部１４と、ＨＤＤからなる記憶部１５と、電子機器１の各部を制御する制御部１６とを有する。また、図示しない他の構成として、タッチパッドやキーボード等の入力操作部、映像処理部、音声処理部、電源管理部、ＤＩＳＣドライブ等の構成を備えている。
【００１７】
記憶部１５は、地上アナログチューナ１０および地上デジタルチューナ１１で受信される地上アナログ放送、および地上デジタル放送を予約し、録画し、再生するとともにユーザの好みに応じて管理することのできる電子番組管理アプリケーション１５０と、地上デジタルチューナ１１をＰＣ上で動作させるのに必要なソフトウエアである地上デジタルチューナドライバ１５１と、地上アナログチューナ１０をＰＣ上で動作させるのに必要なソフトウエアである地上アナログチューナドライバ１５２とを格納している。
【００１８】
制御部１６は、電子機器１に搭載されているハードウエアを検出するハードウエア検出部１６１と、ハードウエアを動作させるためのドライバを検出し、このドライバに基づいてハードウエアが動作可能かを検出する動作検出部１６２とを有している。
【００１９】
図２は、本実施の形態に係る電子機器（ノート型ＰＣ）の斜視図である。この電子機器１は、大別して本体部２０と可動部２１からなり、本体部２０には文字入力部２００と、タッチパッド２０１と、左スイッチ２０２Ａおよび右スイッチ２０２Ｂからなる決定スイッチ２０２とを有する。可動部２１には液晶表示部２１０と、可動部２１を本体部２０に開閉自在に支持するヒンジ部２１１とを有する。
【００２０】
図３は、電子機器１で電子番組管理アプリケーションを起動することにより液晶表示部に表示される第１の表示画面である。電子番組管理アプリケーションは、プレーヤー部３１０と、番組一覧部３２０と、録画予約管理部３３０と、録画データ管理部３４０とを同一画面上に一元的に表示できるように配置した構成を有する。また、プレーヤー部３１０の下部には、この電子機器１で受信することのできる放送波の種類に応じた表示がなされる。同図においては、地上アナログ放送（地上Ａ）表示３５０と、および地上デジタル放送（地上Ｄ）表示３５１と、録画データ操作表示（見るナビコンテンツ）３５２が表示されている。地上アナログ放送（地上Ａ）表示３５０とおよび地上デジタル放送（地上Ｄ）表示３５１は、表示部分を選択するとプレーヤー部３１０に映像を表示させることができる。
【００２１】
第１の表示画面３００は、プレーヤー部３１０としてテレビ画像表示部３１１と、スライドバー３１２、消音スイッチ３１３、モノラル切り替えスイッチ３１４等の音量調整部３１５と、チューナの種別（地上Ａ／地上Ｄ）を表示するチューナ種別部３１６と、プレーヤー部３１０で再生する番組のタイトルを表示するタイトル表示部３１７と、タイトルスキップ、ワンタッチリプレイ／スキップ、早戻し、一時停止、再生、早送り、録音、停止、スロー、タイムスリップ、録音画質、およびプレイバック録画のスイッチからなる操作スイッチ群３１８とを有する。
【００２２】
番組一覧部３２０は、縦軸方向にチャンネル、横軸方向に時間帯を設けてチャンネル毎の番組を一覧表示される。
【００２３】
録画予約管理部３３０は、録画予約がなされた番組のタイトル、チャンネル（ＣＨ）、予約時刻、および画質が一覧表示される。
【００２４】
録画データ管理部３４０は、録画された番組のサムネイルが一覧表示される。同図においては録画された番組が無いために未表示となっている。
【００２５】
また、第１の表示画面３００では、地上アナログチューナ１０および地上デジタルチューナ１１が受信可能であることから、録画予約管理部３３０の最上部にアナログタブ３３１とデジタルタブ３３２とが表示されており、タブを選択することで対応する内容を表示させることができる。図３においてはアナログタブ３３１が選択されて地上アナログチューナ１０による録画予約内容が表示された状態になっている。
【００２６】
図４は、地上アナログチューナのみ搭載された電子機器において電子番組管理アプリケーションを起動することにより液晶表示部に表示される第２の表示画面である。この第２の表示画面３０１は、第１の表示画面の録画予約管理部３３０に表示されているアナログタブ３３１とデジタルタブ３３２が無い点、プレーヤー部３１０におけるチューナ種別部３１６が「チューナ」と単一表示される点で相違する。また、プレーヤー部３１０の下部にテレビ表示３５３が表示されている。このテレビ表示３５３は、電子番組管理アプリケーションで地上アナログ放送のみを扱うことができることを意味する。
【００２７】
図５は、地上アナログチューナおよび地上デジタルチューナを搭載する電子機器において地上デジタルチューナを使用することができない状況で電子番組管理アプリケーションを起動することにより液晶表示部に表示される第３の表示画面である。この第３の表示画面３０２は、第１の表示画面の録画予約管理部３３０に表示されているアナログタブ３３１とデジタルタブ３３２が無い点、第１の表示画面３００のプレーヤー部３１０に設けられる操作スイッチ群３１８の録音スイッチがグレーアウトしている点、チューナ種別部３１６およびタイトル表示部３１７が非表示となっている点、地上デジタル放送表示３５１および録画データ操作表示３５２がグレーアウトしている点で相違する。
【００２８】
図６は、本実施の形態における電子機器の機能制御方法についての動作を示すフローチャートである。以下、フローチャートに基づいて図２に示す電子機器１の動作を説明する。ここで、電子機器１であるノート型ＰＣには、前述の電子番組管理アプリケーション１５０がインストールされているものとする。
【００２９】
まず、電子機器１の電源を投入すると、ハードウエア検出部１６１は電子機器１に搭載されているチューナについての検索を行う。
【００３０】
電子機器１に地上アナログチューナが搭載されている場合（Ｓ１：ＹＥＳ）、ハードウエア検出部１６１のアナログチューナ検出情報は記憶部１５に格納される。電子番組管理アプリケーション１５０は起動時に地上アナログチューナ検出情報を参照することにより、地上アナログチューナに対応するアプリケーションとして起動する（Ｓ２）。
【００３１】
次に、動作検出部１６２は、記憶部１５に地上アナログチューナドライバ１５２が格納されているか否かを確認し、格納されている場合はドライバ１５２が有効であるか否かを確認する（Ｓ３）。ドライバ１５２を有していても、電子機器１の内部における並列処理等でドライバ１５２が有効でない場合があることによる。
【００３２】
ここで、ドライバ１５２が有効でない場合（Ｓ３：ＮＯ）、地上アナログＴＶ機能は無効であるので、表示制御部１３は記憶部１５から図７に示すように使用不可のメッセージを読み込み、表示部１２に画面表示させる（Ｓ４）。
【００３３】
ドライバ１５２が有効であるとき（Ｓ３：ＹＥＳ）、ハードウエア検出部１６１は電子機器１に地上デジタルチューナが搭載されているか否かを検出する（Ｓ５）。
【００３４】
電子機器１に地上デジタルチューナが搭載されている場合（Ｓ５：ＹＥＳ）、ハードウエア検出部１６１のデジタルチューナ検出情報は記憶部１５に格納される。電子番組管理アプリケーション１５０は起動時に地上デジタルチューナ検出情報を参照することにより、地上デジタルチューナおよび地上アナログチューナに対応するアプリケーションとして起動する（Ｓ６）。
【００３５】
次に、動作検出部１６２は、記憶部１５に地上デジタルチューナドライバ１５１が格納されているか否かを確認し、格納されている場合はドライバ１５１が有効であるか否かを確認する（Ｓ７）。ドライバ１５１が有効であるとき（Ｓ７：ＹＥＳ）、先の地上アナログチューナ対応画面と画面上で表示切替可能なように構成されたデジタルチューナ対応画面を含む第１の表示画面３０１が表示制御部１３によって表示部１２に表示される。
【００３６】
ここで、ドライバ１５１が有効でない場合（Ｓ７：ＮＯ）、地上デジタルＴＶ機能は無効であるので、表示制御部１３は記憶部１５から図７に示すように使用不可のメッセージ３０４を読み込み、表示部１２に画面表示させる（Ｓ８）。ユーザがメッセージ３０４のＯＫをクリックすると、第２の表示画面３０１が表示制御部１３によって表示部１２に表示される。
【００３７】
また、ハードウエア検出部１６１は、ステップＳ１およびステップＳ５においてチューナを検出できなかった場合、電子機器１は該当するチューナを持たないものとして起動する。また、この場合、電子番組管理アプリケーション１５０は使用可能な機能について表示した表示画面を液晶表示部２１０に画面表示する。なお、電子番組管理アプリケーション１５０の設定に基づいて電子機器１の起動時にチューナが存在しないことをユーザに促すメッセージを画面表示するようにしても良い。
【００３８】
（本実施の形態の効果）
上記した本実施の形態によると、電子機器１に搭載されているチューナを検出し、検出されたチューナに対応した機能について電子番組管理アプリケーション１５０の表示画面に表示させるようにしたので、ＴＶ機能についてチューナの搭載状況によらずに共通の電子番組管理アプリケーション１５０を用いることができる。このため、メーカー側ではチューナの種類に依存しないひとつの電子番組管理アプリケーション１５０をユーザに提供することで、コストダウンと保守、更新等の管理を合理化することができる。また、ユーザには電子機器１で実行可能な機能について画面表示がなされるとともに、ハードウエアやドライバの関係でアプリケーションを利用できないときはメッセージ３０４が表示されてユーザに警告を促すことから、使い勝手が向上し、誤操作の発生を防ぐことも可能になる。
【００３９】
なお、上記した実施の形態は、地上アナログチューナと地上デジタルチューナの有無およびドライバの有効性を検出する構成を説明したが、これに限定されず、統合アプリケーションで操作可能な種々のハードウエアを対象として適用することができる。
【００４０】
なお、本発明は、上記した実施の形態に限定されず、本発明の技術思想を逸脱あるいは変更しない範囲内で種々な変形が可能である。
【図面の簡単な説明】
【００４１】
【図１】本発明の実施の形態に係る電子機器の主要部を示すブロック図である。
【図２】本実施の形態に係る電子機器（ノート型ＰＣ）の斜視図である。
【図３】電子機器１で電子番組管理アプリケーションを起動することにより液晶表示部に表示される第１の表示画面である。
【図４】地上アナログチューナのみ搭載された電子機器において電子番組管理アプリケーションを起動することにより液晶表示部に表示される第２の表示画面である。
【図５】地上アナログチューナおよび地上デジタルチューナを搭載する電子機器において地上デジタルチューナを使用することができない状況で電子番組管理アプリケーションを起動することにより液晶表示部に表示される第３の表示画面である。
【図６】本実施の形態における電子機器の機能制御方法についての動作を示すフローチャートである。
【図７】チューナ機能が無効であることを通知するメッセージ表示である。
【符号の説明】
【００４２】
１…電子機器、１０…地上アナログチューナ、１１…地上デジタルチューナ、１２…表示部、１３…表示制御部、１４…Ｉ／Ｆ部、１５…記憶部、１６…制御部、２０…本体部、２１…可動部、１５０…電子番組管理アプリケーション、１５１…地上デジタルチューナドライバ、１５２…地上アナログチューナドライバ、１６１…ハードウエア検出部、１６２…動作検出部、２００…文字入力部、２０１…タッチパッド、２０２…決定スイッチ、２０２Ａ…左スイッチ、２０２Ｂ…右スイッチ、２１０…液晶表示部、２１１…ヒンジ部、３００…表示画面、３０１…表示画面、３０２…表示画面、３０４…メッセージ、３１０…プレーヤー部、３１１…テレビ画像表示部、３１２…スライドバー、３１３…消音スイッチ、３１４…モノラル切り替えスイッチ、３１５…音量調整部、３１６…チューナ種別部、３１７…タイトル表示部、３１８…操作スイッチ群、３２０…番組一覧部、３３０…録画予約管理部、３３１…アナログタブ、３３２…デジタルタブ、３４０…録画データ管理部、３５０…地上アナログ放送（地上Ａ）表示、３５１…地上デジタル放送（地上Ｄ）表示、３５３…テレビ表示
【図１】
2007166523.tif 000003
【図２】
2007166523.tif 000004
【図３】
2007166523.tif 000005
【図４】
2007166523.tif 000006
【図５】
2007166523.tif 000007
【図６】
2007166523.tif 000008
【図７】
2007166523.tif 000009